(57)【要約】      （修正有）【課題】釣銭として用いられる紙幣を金種毎に収納することができる紙幣処理装置を提供すること。【解決手段】精査時に、精査庫５２を空にし、千円紙幣収納庫５３に収納された千円紙幣６１を計数しつつ精査庫５２に搬送して精査庫５２に一時収納し、精査庫５２に一時収納された千円紙幣６１を千円紙幣収納庫５３に戻す第１精査処理を行い、混合庫５４に収納された紙幣を計数しつつ精査庫５２に搬送して精査庫５２に一時収納し、精査庫５２に一時収納された紙幣のうち、釣銭に用いられる五千円紙幣６２を混合庫５４に戻すとともに五千円紙幣６２以外の紙幣を千円紙幣収納庫５３に一時収納し、千円紙幣収納庫５３に収納された千円紙幣６１以外の紙幣を精査庫５２に搬送して収納する第２精査処理を行う精査制御部を備える。【選択図】図４
2018025923.tif 000002
【特許請求の範囲】
【請求項１】
釣銭に用いられる第１金種紙幣を収納する第１金種紙幣収納庫と、
第１金種紙幣以外の複数の金種紙幣を混合して収納する混合庫と、
前記第１金種紙幣収納庫及び前記混合庫に収納された紙幣の枚数を再計数する精査時の一時収納庫である精査庫と、
を備え、紙幣の入出金処理を行う紙幣処理装置であって、
前記精査時に、前記精査庫を空にし、前記第１金種紙幣収納庫に収納された第１金種紙幣を計数しつつ前記精査庫に搬送して前記精査庫に一時収納し、前記精査庫に一時収納された第１金種紙幣を前記第１金種紙幣収納庫に戻す第１精査処理を行い、前記混合庫に収納された紙幣を計数しつつ前記精査庫に搬送して前記精査庫に一時収納し、前記精査庫に一時収納された紙幣のうち、釣銭に用いられる第２金種紙幣を前記混合庫に戻すとともに第２金種紙幣以外の紙幣を前記第１金種紙幣収納庫に一時収納し、前記第１金種紙幣収納庫に収納された第１金種紙幣以外の紙幣を前記精査庫に搬送して収納する第２精査処理を行う精査制御部を備えたことを特徴とする紙幣処理装置。
【請求項２】
前記精査制御部は、第１精査処理時に、前記精査庫に一時収納され、計数された第１金種紙幣の枚数のうちの第１所定枚数を収納後列側から前記混合庫に一時収納し、残余の第１金種紙幣を前記第１金種紙幣収納庫に収納し、その後、前記混合庫に一時収納された第１金種紙幣を前記第１金種紙幣収納庫に収納することを特徴とする請求項１に記載の紙幣処理装置。
【請求項３】
前記精査制御部は、第２精査処理時に、前記精査庫に一時収納され、計数された第２金種紙幣の枚数のうち、収納後列側から第２所定枚数の第２金種紙幣を含む紙幣を第１金種紙幣収納庫に一時収納しつつ、残余の第２金種紙幣を前記混合庫に収納し、その後、前記第１金種紙幣収納庫に一時収納された第２金種紙幣を前記混合庫に収納しつつ、第２金種紙幣以外の紙幣を前記精査庫に収納することを特徴とする請求項１または２に記載の紙幣処理装置。
【請求項４】
前記精査制御部は、前記第２精査処理時に、さらに、前記精査庫に収納された紙幣のうち釣銭に用いられる第３金種紙幣を前記混合庫に戻すとともに第３金種紙幣以外の紙幣を前記第１金種紙幣収納庫に一時収納し、前記第１金種紙幣収納庫に収納された第１金種紙幣以外の紙幣を前記精査庫に搬送して収納することを特徴とする請求項１に記載の紙幣処理装置。
【発明の詳細な説明】
【技術分野】
【０００１】
本発明は、釣銭として用いられる紙幣を金種毎に収納することができる紙幣処理装置に関する。
【背景技術】
【０００２】
スーパーマーケットやコンビニエンスストア等の店舗には、客さばきや現金管理の厳正化のため、自動釣銭機が用いられている。自動釣銭機には、ＰＯＳレジスタ（Ｐｏｉｎｔ Ｏｆ Ｓａｌｅｓ）装置等が接続され、ＰＯＳレジスタ装置は、自動釣銭機に対して硬貨や紙幣等の金銭の入出金処理を指示する。この入出金処理には、釣銭処理も含まれる。
【０００３】
ここで、自動釣銭機は、省スペース化のため、千円紙幣を収納する千円紙幣収納庫と、千円紙幣以外の複数の金種紙幣を混合して収納する混合庫と、千円紙幣収納庫及び混合庫に収納された紙幣の枚数を再計数する精査時の一時収納庫である精査庫との３つの収納庫を設けるのが通常である。
【０００４】
特許文献１には、収納庫間で貨幣の入出が可能な精査庫を用いて収納貨幣を再計数する金銭処理装置が記載されている。
【０００５】
また、特許文献２には、搬送部から送られた紙幣を収納するとともに収納された紙幣を搬送部に繰り出し可能な複数の紙幣収納部と、搬送部から送られた紙幣を収納するとともに収納された紙幣を搬送部に繰り出し可能な補助収納部と、各紙幣収納部に収納されている紙幣を搬送部により各紙幣収納部に戻し、この際に搬送部により搬送される紙幣を識別部により識別する精査処理を行う紙幣釣銭機が記載されている。
【先行技術文献】
【特許文献】
【０００６】
【特許文献１】特開２０１５−１５６１４１号公報
【特許文献２】特開２０１５−１７０３４１号公報
【発明の概要】
【発明が解決しようとする課題】
【０００７】
上述したように千円紙幣収納庫、混合庫、精査庫の３つの収納庫しか持たない紙幣処理装置は、金種毎に収納庫に収納することは困難である。そして、千円紙幣以外の紙幣は混合庫に複数の金種が順不同で収納されることになる。
【０００８】
このため、五千円紙幣を釣銭として出金する場合、一万円紙幣と五千円紙幣、さらには二千円紙幣などが混合して収納されているため、出金時間が遅くなるという問題点があった。
【０００９】
本発明は、上記に鑑みてなされたものであって、釣銭として用いられる紙幣を金種毎に収納することができる紙幣処理装置を提供することを目的とする。
【課題を解決するための手段】
【００１０】
上述した課題を解決し、目的を達成するために、本発明にかかる紙幣処理装置は、釣銭に用いられる第１金種紙幣を収納する第１金種紙幣収納庫と、第１金種紙幣以外の複数の金種紙幣を混合して収納する混合庫と、前記第１金種紙幣収納庫及び前記混合庫に収納された紙幣の枚数を再計数する精査時の一時収納庫である精査庫と、を備え、紙幣の入出金処理を行う紙幣処理装置であって、前記精査時に、前記精査庫を空にし、前記第１金種紙幣収納庫に収納された第１金種紙幣を計数しつつ前記精査庫に搬送して前記精査庫に一時収納し、前記精査庫に一時収納された第１金種紙幣を前記第１金種紙幣収納庫に戻す第１精査処理を行い、前記混合庫に収納された紙幣を計数しつつ前記精査庫に搬送して前記精査庫に一時収納し、前記精査庫に一時収納された紙幣のうち、釣銭に用いられる第２金種紙幣を前記混合庫に戻すとともに第２金種紙幣以外の紙幣を前記第１金種紙幣収納庫に一時収納し、前記第１金種紙幣収納庫に収納された第１金種紙幣以外の紙幣を前記精査庫に搬送して収納する第２精査処理を行う精査制御部を備えたことを特徴とする。
【００１１】
また、本発明にかかる紙幣処理装置は、上記の発明において、前記精査制御部は、第１精査処理時に、前記精査庫に一時収納され、計数された第１金種紙幣の枚数のうちの第１所定枚数を収納後列側から前記混合庫に一時収納し、残余の第１金種紙幣を前記第１金種紙幣収納庫に収納し、その後、前記混合庫に一時収納された第１金種紙幣を前記第１金種紙幣収納庫に収納することを特徴とする。
【００１２】
また、本発明にかかる紙幣処理装置は、上記の発明において、前記精査制御部は、第２精査処理時に、前記精査庫に一時収納され、計数された第２金種紙幣の枚数のうち、収納後列側から第２所定枚数の第２金種紙幣を含む紙幣を第１金種紙幣収納庫に一時収納しつつ、残余の第２金種紙幣を前記混合庫に収納し、その後、前記第１金種紙幣収納庫に一時収納された第２金種紙幣を前記混合庫に収納しつつ、第２金種紙幣以外の紙幣を前記精査庫に収納することを特徴とする。
【００１３】
また、本発明にかかる紙幣処理装置は、上記の発明において、前記精査制御部は、前記第２精査処理時に、さらに、前記精査庫に収納された紙幣のうち釣銭に用いられる第３金種紙幣を前記混合庫に戻すとともに第３金種紙幣以外の紙幣を前記第１金種紙幣収納庫に一時収納し、前記第１金種紙幣収納庫に収納された第１金種紙幣以外の紙幣を前記精査庫に搬送して収納することを特徴とする。
【発明の効果】
【００１４】
本発明によれば、釣銭として用いられる紙幣を金種毎に収納することができるので、釣銭紙幣を迅速に出金することができる。
【図面の簡単な説明】
【００１５】
【図１】図１は、本発明の実施の形態である紙幣処理装置を含む金銭処理装置の構成を示す斜視図である。
【図２】図２は、金銭処理装置の制御系の構成を示すブロック図である。
【図３】図３は、図１に示した紙幣処理装置の内部構成を概念的に示す側面図である。
【図４】図４は、精査制御部による精査時における釣銭紙幣の金種毎の並び替え処理のフローを示す図である。
【図５】図５は、精査制御部による精査時における釣銭紙幣の金種毎の並び替え処理及び収納後列側と収納前列側との入れ替え処理のフローを示す図である。
【発明を実施するための形態】
【００１６】
以下、添付図面を参照してこの発明を実施するための形態について説明する。
【００１７】
（金銭処理装置の構造）
図１は、本発明の実施の形態である紙幣処理装置を含む金銭処理装置１０の構成を示す斜視図である。また、図２は、金銭処理装置１０の制御系の構成を示すブロック図である。ここで例示する金銭処理装置１０は、スーパーマーケットやコンビニエンスストア等の店舗においてＰＯＳレジスタ装置ＰＲに接続される自動釣銭機として用いられるものである。図１及び図２に示すように、金銭処理装置１０の上面は平坦面が形成され、この平坦面には上位装置であるＰＯＳレジスタ装置ＰＲが配置される。金銭処理装置１０は、硬貨の入出金を行う硬貨処理装置１と紙幣の入出金を行う紙幣処理装置２とを有する。硬貨処理装置１及び紙幣処理装置２は、直方体状を成す装置本体に覆われ、それぞれが隣接して配置される。
【００１８】
硬貨処理装置１は装置本体の前端上面の右側に硬貨投入口３１を備える。硬貨処理装置１の装置本体の前面左側には、硬貨出金口３８が形成され、硬貨出金口３８から排出された硬貨は受け皿４０で受け止められる。また、装置本体の前面右側には、硬貨返却口３９を備える。一方、紙幣処理装置２の装置本体の前面上部には、紙幣投入口４１及び紙幣出金口４２が設けられる。
【００１９】
硬貨処理装置１は装置本体の前端上面の左側に表示部３及び操作入力部４を備える。表示部３及び操作入力部４は、紙幣処理装置２の表示部及び操作入力部でもある。制御部５及び記憶部６は、金銭処理装置１０内に設けられる。
【００２０】
硬貨処理装置１は、各種センサ群１１及びアクチュエータ群１２を有する。また、紙幣処理装置２は、各種センサ群２１及びアクチュエータ群２２を有する。
【００２１】
制御部５は、入出金制御部５ａを有する。入出金制御部５ａは、ＰＯＳレジスタ装置ＰＲから入金許可指令が与えられた後に貨幣が投入された場合に、入金許可指令に従って貨幣の入金処理を行い、かつＰＯＳレジスタ装置ＰＲから出金指令が与えられた場合に、出金指令に従って貨幣の出金処理を行うものである。また、入出金制御部５ａは、これらの入金処理及び出金処理を実行している間、実施した入金処理及び出金処理の内容を入出金情報６ａとして逐次記憶部６に格納する処理も行う。
【００２２】
また、制御部５は、精査制御部５ｂを有する。精査制御部５ｂは、精査時に、精査庫５２（図３参照）を空にし、第１金種紙幣収納庫である千円紙幣収納庫５３（図３参照）に収納された第１金種紙幣である千円紙幣を計数しつつ精査庫５２に搬送して精査庫５２に一時収納し、精査庫５２に一時収納された千円紙幣を千円紙幣収納庫５３に戻す第１精査処理を行い、混合庫５４（図３参照）に収納された紙幣を計数しつつ精査庫５２に搬送して精査庫５２に一時収納し、精査庫５２に一時収納された紙幣のうち、釣銭に用いられる第２金種紙幣である五千円紙幣を混合庫５４に戻すとともに五千円紙幣以外の紙幣を千円紙幣収納庫５３に一時収納し、千円紙幣収納庫５３に収納された千円紙幣以外の紙幣を精査庫５２に搬送して収納する第２精査処理を行う。
【００２３】
（紙幣処理装置の内部構成）
図３は、図１に示した紙幣処理装置２の内部構成を概念的に示す側面図である。図３に示すように、紙幣処理装置２は、紙幣投入口４１から搬送される紙幣は、紙幣鑑別センサ４４によって鑑別された後、金種に応じて紙幣収納庫５１内の精査庫５２、千円紙幣収納庫５３、混合庫５４に収納される。精査庫５２は、千円紙幣及び五千円紙幣以外の紙幣、例えば、一万円紙幣や二千円紙幣、さらには旧券を収納する。すなわち、精査庫５２は、精査時の一時収納庫として用いられるとともに、釣銭として用いない紙幣が収納される。千円紙幣収納庫５３には千円紙幣が収納される。混合庫５４には五千円紙幣が収納される。紙幣出金口４２は、千円紙幣収納庫５３及び混合庫５４から搬出された紙幣を装置本体の外部に払い出すための開口であり、装置本体の前面下部に設けてある。
【００２４】
なお、精査庫５２への紙幣の収納は、正面側（図上左側）から背面側（図上右側）に向けて行われる。一方、千円紙幣収納庫５３及び混合庫５４は、背面側から正面側に向けて紙幣が順次収納される。図３では、収納時、最初に整列される奥側（収納後列側）を符号Ｂで示し、排出時に最初に排出される手前側（収納前列側）を符号Ｆで示している。
【００２５】
ここで、千円紙幣収納庫５３と精査庫５２との間、及び混合庫５４と精査庫５２との間は、紙幣搬送路５０が配置される。また、紙幣搬送路５０上で、精査庫５２との出入り口に切換ゲートＧ３１、千円紙幣収納庫５３との出入り口に切換ゲートＧ３２、混合庫５４との出入り口に切換ゲートＧ３３が配置される。また、切換ゲートＧ３１，Ｇ３２，Ｇ３３近傍には、紙幣の通過を検出する画像センサとしてのセンサＳ３１，Ｓ３２，Ｓ３３が配置されている。また、精査庫５２、千円紙幣収納庫５３、混合庫５４から紙幣搬送路５０への繰り出しを行うモータＭ３１，Ｍ３２，Ｍ３３が設けられている。また、紙幣搬送路５０を搬送駆動するモータＭ５０を有する。さらに、紙幣搬送路５０上に、搬送される紙幣の金種及び通過を検出する画像センサとしてのセンサＳ５０，Ｓ５１が配置されている。
【００２６】
（釣銭紙幣の金種毎の並び替え処理）
ここで、図４に示したフローを参照して精査制御部５ｂによる精査時における釣銭紙幣の金種毎の並び替え処理について説明する。まず、図４（ａ）に示すように、精査制御部５ｂは、精査庫５２を空にした状態にする。この処理は、精査庫５２に紙幣が存在する場合、千円紙幣６１は千円紙幣収納庫５３に搬送して収納し、千円紙幣６１以外の紙幣は混合庫５４に搬送して収納する。この状態で、千円紙幣収納庫５３に収納された千円紙幣６１を計数しつつ、精査庫５２に搬送して精査庫５２に一時収納する。この際、不良紙幣は、紙幣出金口４２に搬送される。
【００２７】
その後、精査制御部５ｂは、図４（ｂ）に示すように、精査庫５２に収納された千円紙幣６１を千円紙幣収納庫５３に戻す。この図４（ａ）及び図４（ｂ）の処理は、第１精査処理である。
【００２８】
その後、精査制御部５ｂは、図４（ｃ）に示すように、混合庫５４に収納された紙幣を計数しつつ、精査庫５２に搬送して一時収納する。この際、不良紙幣は、紙幣出金口４２に搬送される。その後、図４（ｄ）に示すように、精査庫５２に格納された紙幣のうち、五千円紙幣６２を混合庫５４に戻すとともに、五千円紙幣６２以外の紙幣、ここでは一万円紙幣６３を千円紙幣収納庫５３に一時収納する。その後、図４（ｅ）に示すように、千円紙幣収納庫５３に一時収納されていた一万円紙幣６３は精査庫５２に収納される。この図４（ｃ）〜図４（ｅ）の処理は、第２精査処理である。
【００２９】
この結果、図４（ｆ）に示すように、精査庫５２には千円紙幣６１、五千円紙幣６２以外の紙幣である一万円紙幣６３が収納され、千円紙幣収納庫５３には千円紙幣６１が収納され、混合庫５４には五千円紙幣６２が収納される。すなわち、釣銭紙幣としての千円紙幣６１及び五千円紙幣６２は、精査時に、それぞれ金種毎に並び替えされ、特に、五千円紙幣６２が釣銭となる場合、迅速に出金することができる。
【００３０】
（釣銭紙幣の金種毎の並び替え処理及び収納後列側と収納前列側との入れ替え処理）
ここで、図５に示したフローを参照して精査制御部５ｂによる精査時における釣銭紙幣の金種毎の並び替え処理及び収納後列側と収納前列側との入れ替え処理について説明する。まず、図５（ａ）に示すように、精査制御部５ｂは、精査庫５２を空にした状態にする。この処理は、精査庫５２に紙幣が存在する場合、千円紙幣６１は千円紙幣収納庫５３に搬送して収納し、千円紙幣６１以外の紙幣は混合庫５４に搬送して収納する。この状態で、千円紙幣収納庫５３に収納された千円紙幣６１を計数しつつ、精査庫５２に搬送して精査庫５２に一時収納する。この場合、千円紙幣収納庫５３のうちの収納後列側の千円紙幣６１Ｂは、精査庫５２において収納前列側になる。なお、不良紙幣は、紙幣出金口４２に搬送される。
【００３１】
その後、精査制御部５ｂは、図５（ｂ）に示すように、精査庫５２に収納された千円紙幣６１のうちの所定枚数の収納後列側の千円紙幣６１Ｂを混合庫５４に搬送して一時収納し、残りの収納前列側の千円紙幣６１Ｆを千円紙幣収納庫５３に戻す。さらに、混合庫５４に一時収納されていた収納後列側の千円紙幣６１Ｂを千円紙幣収納庫５３に搬送して収納する。これにより、第１精査処理時に、収納後列側の千円紙幣６１Ｂと収納前列側の千円紙幣６１Ｆとが入れ替わる。
【００３２】
その後、精査制御部５ｂは、図５（ｃ）に示すように、混合庫５４に収納された紙幣を計数しつつ、精査庫５２に搬送して一時収納する。この際、不良紙幣は、紙幣出金口４２に搬送される。その後、図５（ｄ）に示すように、精査庫５２に格納された紙幣のうち、所定枚数の収納後列側の五千円紙幣６２Ｂと一万円紙幣６３とを千円紙幣収納庫５３に搬送して一時収納するとともに、残余の収納前列側の五千円紙幣６２Ｆを混合庫５４に戻す。その後、図５（ｅ）に示すように、千円紙幣収納庫５３に一時収納されていた一万円紙幣６３を精査庫５２に収納するとともに、収納後列側の五千円紙幣６２Ｂを混合庫５４に搬送して収納する。これにより、第２精査処理時に、収納後列側の五千円紙幣６２Ｂと収納前列側の五千円紙幣６２Ｆとが入れ替わる。
【００３３】
この結果、図５（ｆ）に示すように、精査庫５２には千円紙幣６１、五千円紙幣６２以外の紙幣である一万円紙幣６３が収納され、千円紙幣収納庫５３には千円紙幣６１が収納され、混合庫５４には五千円紙幣６２が収納される。すなわち、釣銭紙幣としての千円紙幣６１及び五千円紙幣６２は、精査時に、それぞれ金種毎に並び替えされ、特に、五千円紙幣６２が釣銭となる場合、迅速に出金することができる。
【００３４】
さらに、釣銭として出金する機会が少ない収納後列側の紙幣は、紙幣処理装置に残り、精査処理が行われる度に摩耗して破損しやすくなる。しかし、千円紙幣６１及び五千円紙幣６２は、それぞれ収納後列側と収納前列側とが入れ替わるため、出金しやすくなり、精査処理の繰り返しが減り、紙幣の摩耗や破損を防止することができる。
【００３５】
なお、一万円紙幣６３に混在する第３金種紙幣としての二千円紙幣を釣銭として用いる場合、図４（ｄ），（ｅ）あるいは図５（ｄ），（ｅ）の五千円紙幣６２と同じ処理を繰り返せばよい。この結果、図４では、図４（ｄ）の混合庫５４内で、五千円紙幣６２と二千円紙幣とがそれぞれ金種毎に収納されることになる。また、図５では、図５（ｄ）の混合庫５４内で五千円紙幣６２と二千円紙幣とが、それぞれ収納前列側と収納後列側とが入れ替わって収納されることになる。なお、二千円紙幣は、通常、釣銭として使用されないので、精査庫５２に収納しておくことが好ましい。旧券も二千円紙幣と同様に、精査庫５２に混在して収納しておくことが好ましい。
【符号の説明】
【００３６】
１  硬貨処理装置
２  紙幣処理装置
３  表示部
４  操作入力部
５  制御部
５ａ  入出金制御部
５ｂ  精査制御部
６  記憶部
６ａ  入出金情報
１０  金銭処理装置
１１，２１  センサ群
１２，２２  アクチュエータ群
３１  硬貨投入口
３８  硬貨出金口
３９  硬貨返却口
４０  受け皿
４１  紙幣投入口
４２  紙幣出金口
４４  紙幣鑑別センサ
５０  紙幣搬送路
５１  紙幣収納庫
５２  精査庫
５３  千円紙幣収納庫
５４  混合庫
６１，６１Ｂ，６１Ｆ  千円紙幣
６２，６２Ｂ，６２Ｆ  五千円紙幣
６３  一万円紙幣
Ｇ３１，Ｇ３２，Ｇ３３  切換ゲート
Ｍ３１，Ｍ３２，Ｍ３３  モータ
Ｍ５０  モータ
ＰＲ  ＰＯＳレジスタ装置
Ｓ３１，Ｓ３２，Ｓ３３，Ｓ５０，Ｓ５１  センサ
【図１】
2018025923.tif 000003
【図２】
2018025923.tif 000004
【図３】
2018025923.tif 000005
【図４】
2018025923.tif 000006
【図５】
2018025923.tif 000007